(57)【要約】      （修正有）【課題】全体のデザインを変更することなく、衣服のデザインにバリエーションを与える衣服を提供する。【解決手段】装飾シート２１と、装飾シート２１を着脱交換可能に挿入するシート保持部１４とを備える。シート保持部１４は、メッシュ部１５と、その裏面側に配置された固定部とを備え、メッシュ部１５と固定部との間に装飾シート２１を挿入することによって、メッシュ部１５の小孔を通じて装飾シート２１が外部から見える。【選択図】図１
0003191999.tif 000002
【実用新案登録請求の範囲】
【請求項１】
装飾シートと、前記装飾シートを着脱交換可能に挿入する装飾シート保持部とを備え、
前記装飾シート保持部に挿入された前記装飾シートの少なくとも一部が外部から見えるようにしたことを特徴とする装飾シートを備えた衣服。
【請求項２】
前記衣服が体操用のトレーニングウエアの上衣又は下衣であることを特徴とする請求項１記載の装飾シートを備えた衣服。
【請求項３】
前記装飾シート保持部は、衣服の表面の一部を構成するメッシュ部と、メッシュ部の裏面側に配置された支持部とを備え、前記支持部とメッシュ部との間に前記装飾シートを挿入することによって、メッシュ部の小孔を通じて前記装飾シートが外部から見えることを特徴とする請求項１又は２記載の装飾シートを備えた衣服。
【請求項４】
前記支持部は、前記メッシュ部の両端に配置され、
前記両端の前記メッシュ部の間に、裏面側に開口する挿入口が設けられ、
前記挿入口から、前記支持部とメッシュ部との間に、前記装飾シートを挿入することを特徴とする請求項３記載の装飾シートを備えた衣服。
【考案の詳細な説明】
【技術分野】
【０００１】
本考案は、装飾部材を変更することができる衣服の改良に関する。
【背景技術】
【０００２】
装飾部材を交換可能にした衣服の提案は、特許文献１〜３に示すように、種々提案されている。ところが、特許文献１〜３では、交換用のピースを衣服に着脱可能に取り付けるためにホックやファスナなどの硬質部材を用いる必要がある。着心地や衣服の柔軟性を損なうおそれがある。また、スポーツを行なう際に硬質部材の位置にボールが当たったり、鉄棒を行なっている時に硬質部材の位置を鉄棒にぶつけたりした際には、必要以上の苦痛を着用者に与えるおそれがある。また、交換着脱のために、いちいちホックやファスナを着脱するのは手間がかかる。
【先行技術文献】
【特許文献】
【０００３】
【特許文献１】特開２００２−２０９２０号公報
【特許文献２】登録実用新案第３０２１７４８号公報
【特許文献３】登録実用新案第３１５５１５２号公報
【考案の概要】
【考案が解決しようとする課題】
【０００４】
本考案は、簡単に装飾部材を交換することができ、且つ、着心地や安全性を損なうおそれを抑制した装飾シートを備えた衣服を提供することを課題とする。
【課題を解決するための手段】
【０００５】
本考案は、装飾シートと、前記装飾シートを着脱交換可能に挿入する装飾シート保持部とを備え、前記装飾シート保持部に挿入された前記装飾シートの少なくとも一部が外部から見えるようにしたことを特徴とする装飾シートを備えた衣服を提供する。本考案の衣服にあっては、装飾シートを挿入したり抜き出したりするだけで、装飾シートを簡単に交換することができると共に、ホックやファスナの利用は必須ではない。従って、安全性や着心地を低下させることなく、実施することもできる。但し、衣服の用途や装飾シートの取り付け位置に応じて、ホックやファスナを併用したものを除外するものではない。
【０００６】
前記衣服の用途は特に限定されないが、例えば、体操用のトレーニングウエアの上衣又は下衣として実施することができる。
より具体的には、前記装飾シート保持部は、衣服の表面の一部を構成するメッシュ部と、メッシュ部の裏面側に配置された支持部とを備え、前記支持部とメッシュ部との間に前記装飾シートを挿入することによって、メッシュ部の小孔を通じて前記装飾シートが外部から見えるものとして実施することができる。これによって、前記の安全性や着心地の低下を抑制することができると共に、メッシュ部自体についても衣服のデザインの一部として活用することができる。
さらに、前記支持部は、前記メッシュ部の両端に配置され、前記両端の前記メッシュ部の間に、裏面側に開口する挿入口が設けられ、前記挿入口から、前記支持部とメッシュ部との間に、前記装飾シートを挿入するようにすることで、着脱の容易性を実現すると共に、挿入した装飾シートの安定性が向上する。
【考案の効果】
【０００７】
本考案は、簡単に装飾部材を交換することができ、且つ、着心地や安全性を損なうおそれを抑制した装飾シートを備えた衣服を提供することができたものである。衣服の用途は問わないが、特に、運動用のトレーニングウエアに適用することによって、スポーツを行なう際にも、安全性を損なうことがない衣服を提供することができたものである。
【図面の簡単な説明】
【０００８】
【図１】本考案の実施の形態に係るトレーニングウエアの上衣の正面図。
【図２】（Ａ）本考案の実施の形態に係るシート保持部と装飾シートとの装着前の正面図、（Ｂ）同装着後の正面図。
【図３】（Ａ）本考案の実施の形態に係るシート保持部と装飾シートとの装着過程の裏面側からの説明図、（Ｂ）同装着過程の断面図、（Ｃ）同装着後の背面図。
【図４】本考案の実施の形態に係るトレーニングウエアの下衣の側面図。
【考案を実施するための形態】
【０００９】
以下、図面に基づき本考案の実施の形態を説明する。
本考案に係る衣服１１は、図１に示すようなトレーニングウエアの上衣１２として実施することができると共に、図４に示すようなトレーニングウエアの下衣１３として実施することができ、さらに、一般の衣服全般に適用することができる。
【００１０】
（シート保持部１４について）
図１の実施の形態に係る上衣１２は、前身頃に左右２箇所のシート保持部１４を備える。この２箇所のシート保持部１４は左右対称であってもよいが、この例ではデザイン上の観点から左右非対称のものとして実施されている。
【００１１】
また、シート保持部１４の上方には通常の生地による固定装飾部１８が設けられ、固定装飾部１８と統一感のあるデザインとしているが、固定装飾部１８を設けずに実施することができる。
シート保持部１４は、前身頃の生地（表地）に、多数の小孔を備えたメッシュ素材の周囲を縫着したメッシュ部１５を備える。このメッシュ部１５は装飾シート２１の表面側に配置されると共に外部から見えるようにしたものであり、透明のシートなどでもよいが、メッシュ素材とすることによって機能性と装飾性との両立を図ることができる。なお、メッシュ部１５は、無地でもよく、装飾シート２１とのバランスで適宜複数の色使いや図柄を施したものであってもよい。
【００１２】
シート保持部１４の両端におけるメッシュ部１５の裏面側には、固定部１７が設けられている。この固定部１７は、装飾シート２１を裏面から押さえるもので、通常の生地で実施しても良く、メッシュ素材などで実施してもよく、透光性は問わないが機能性の観点からは適度な柔軟性を備えるものが望ましい。この固定部１７はシート保持部１４の長手方向の両端に配置されているが、短手方向の両端に配置してもよい。また、帯状にして、固定部１７の中程の複数箇所に配置するようにしてもよい。この固定部１７は、前身頃の生地にその周囲（メッシュ部１５に重なっている左右の辺を除く）が縫着されており、固定部１７とメッシュ部１５との間に、装飾シート２１を挟むことで、装飾シート２１を固定する。
【００１３】
この固定部１７が配置されていない部分（この例では左右の固定部１７の間の領域）が、挿入口１６となり、この挿入口１６から装飾シート２１が固定部１７とメッシュ部１５との間に挿入される。
（装飾シート２１について）
装飾シート２１は、柔軟性を備えた布や不織布やポリウレタンシートなどで構成することができ、衣服１１に装飾性を付加する。装飾シート２１は、図３（Ａ）（Ｂ）に示すように、撓ませた状態で、その端部２２が挿入口１６から固定部１７とメッシュ部１５との間へ挿入されて、メッシュ部１５の裏面側に固定される。ホックなどの係止具は特に必要はないが、係止具を設けて実施することも可能である。但し、係止具を備えないものとする方が、体操やスポーツ競技中などで胸を打っても、着用者に必要以上の痛みを感じさせることがない。
【００１４】
この装飾シート２１の表面は、シート保持部１４への装着状態において、メッシュ部１５の小孔から外部に見えて装飾機能を発揮するもので、適宜の色に着色したものであってもよく、文字やイラストなどの図柄を表したものであってもよい。例えは、学校の体操用の制服として実施する場合、学年カラーを決めている場合、学年が変わるとその色に応じた装飾シート２１に変更するだけで、衣服１１全体を変更する必要がない。またクラス表示を装飾シート２１の表面に表すこともでき、名前を生徒に書かせて装着するようにしてもよい。
【００１５】
図４は、衣服１１を下衣１３（トレーニングパンツ）として実施したものであり、その体側に縦方向にシート保持部１４を配置したものであり、この場合にはシート保持部１４の上下に固定部１７を配置して実施することができる。
その他、本考案は種々変更して実施することができるものであり、後身頃にシート保持部１４を設けても良く、腕に設けて実施することもできる。このように本考案は、装飾シート２１を複数種類容易して、これらを交換するだけで、衣服１１全体の図柄などのデザインを容易に変更することができる衣服１１を提供することができたものである。
【符号の説明】
【００１６】
１１  衣服
１２  上衣
１３  下衣
１４  シート保持部
１５  メッシュ部
１６  挿入口
１７  固定部
１８  固定装飾部
２１  装飾シート
２２  端部
【図１】
0003191999.tif 000003
【図２】
0003191999.tif 000004
【図３】
0003191999.tif 000005
【図４】
0003191999.tif 000006